(57)【要約】【課題】反射率の高いＬ１の未記録領域に対してフォーカスオンが行われた場合であっても、正常に立ち上げ処理を行うことができる光ディスク装置を提供する。【解決手段】本発明の光ディスク装置は、光検出器により得られた電気信号に含まれる信号に基づいてアクチュエータの駆動を制御するフォーカス制御回路と、フォーカス制御回路に指示を与えるフォーカスジャンプ指示回路とを備えている。片面二層ディスクの立ち上げ処理において、フォーカス制御回路によりフォーカスサーチが行われ、フォーカス引き込み位置が決定される。そしてフォーカス引き込み、フォーカシング、及び記録状態判別が行われる。これら一連の処理に失敗した場合、フォーカスジャンプ指示回路はフォーカス制御回路に対して、反射率の低い反射層へフォーカスジャンプして、再度フォーカス引き込みを行うように指示する。【選択図】図３
2009129509.tif 000002
【特許請求の範囲】
【請求項１】
光源により出射された光ビームを光ディスクの記録面に照射させ、光ディスクからの反射光を受光する対物レンズと、
前記対物レンズを移動させるアクチュエータと、
光ディスクで反射された反射光を電気信号に変換する光検出器と、
前記電気信号に含まれるフォーカスエラー信号に基づいて前記アクチュエータの駆動を制御するフォーカス制御手段と、
を備えた光ディスク装置において、
第一反射層及び第二反射層の二つの反射層を備え、前記第一反射層が前記第二反射層よりも大きい反射率である片面二層ディスクの立ち上げ時に、前記フォーカス制御手段によるフォーカス引き込みに失敗した場合、及び／或いはフォーカス引き込み後の記録状態判別処理において前記第一反射層が未記録状態であると判別された場合に、前記フォーカス制御手段に対して、前記第二反射層へフォーカス引き込みを行うように指示する移行指示手段
を備えたことを特徴とする光ディスク装置。
【請求項２】
ＤＶＤ−Ｒ規格、或いはＤＶＤ＋Ｒ規格に準拠した片面二層ディスクの立ち上げを行う際に、前記移行指示手段による立ち上げ制御を行うこと
を特徴とする請求項１に記載の光ディスク装置。
【請求項３】
記録アドレスの順に隙間なく記録された記録領域を備え、且つ前記第一反射層に未記録領域が存在する片面二層ディスクの立ち上げを行う際に、前記移行指示手段による立ち上げ制御を行うこと
を特徴とする請求項１又は請求項２に記載の光ディスク装置。
【発明の詳細な説明】
【技術分野】
【０００１】
本発明は、光ディスクに記録された情報を読み出すための光ディスク装置に関するものであり、特に片面二層ディスクの未記録領域へフォーカス引き込みを行った際の立ち上げエラーを防止することが可能な光ディスク装置に関する。
【背景技術】
【０００２】
近年、コンパクトディスク（以下、「ＣＤ」という）やデジタル多用途ディスク（以下、「ＤＶＤ」という）といった光ディスクが普及し、一般的に用いられるようになっている。そして光ディスクに記録された情報、例えば音声情報や映像情報を読み出して再生するための装置として、光ディスク装置が存在する。広く知られている光ディスク装置としては、例えばＣＤプレイヤ、ＤＶＤプレイヤ、或いはパソコンに接続されるＣＤ−ＲＯＭドライブ等があげられる。
【０００３】
光ディスク装置には、光ディスクに対して光ビームを照射して情報の読み取りを行うための光ピックアップが備えられている。光ピックアップはターンテーブル上に固定されて回転している光ディスクの情報記録面に対して光ビームを照射する。そして光ディスクからの反射光を光ピックアップ内に設けられた受光素子、例えばフォトダイオードによって受光する。そして受光素子により光を電気信号に変換し、得られた電気信号に基づいて光ディスクに記録されている情報を出力する。
【０００４】
光ディスクの記録容量は年々増加する傾向にあり、ＣＤよりも記録容量の多いＤＶＤ、さらにはＤＶＤよりも記録容量の多いＢＤ（Blu-lay）やＨＤ（High Definition）−ＤＶＤが実用化されている。光ディスクの記録容量を増加させる手段の一つとして、複数の反射層を用いる方法がある。例えば片面に、反射率の低いレイヤー０（以下、「Ｌ０」という）及び反射率の高いレイヤー１（以下、「Ｌ１」という）と呼ばれる二つの反射層を有するＤＶＤ−ＲメディアやＤＶＤ＋Ｒメディア（以下、「片面二層ディスク」という）が実用化されている。
【０００５】
片面二層ディスクの立ち上げ時においては、一方からレーザ光を照射する際に対物レンズとその記録面との距離（＝作動距離）を制御することにより、光ビームの焦点をどちらの反射層に合わせるかを選択できるようになっている。このため、ディスクを裏返すことなく同一面に存在する二つの層の記録及び情報の再生が可能となっている。
【０００６】
上記のような片面二層ディスクの記録方式の一つとして、インクリメント方式が存在する。インクリメント方式とは、未記録の片面二層ディスクへの記録を行う際に、まずＬ０の始点アドレスからアドレス順に記録を行う。そしてＬ０の終点アドレスまで記録が完了した時点で、Ｌ１の始点アドレスから記録を行う。従ってインクリメント方式で記録したディスクは、Ｌ０が全て既記録、且つＬ１が一部未記録という状態になる場合がある。
【０００７】
例えばＬ１の半分を記録し、且つファイナライズしていない状態の片面二層ディスクがこれに相当する。また、ファイナライズをした場合であっても、パソコン等で用いられるデータフォーマットと呼ばれるフォーマットでＤＶＤ＋Ｒメディアをファイナライズした場合、未記録領域を埋めるためのダミーデータの書き込みが行われない。従ってファイナライズ後も、Ｌ１に未記録領域が残ったままの状態となる。
【０００８】
上記のような片面二層ディスクを再生可能状態とするための立ち上げ処理においては、まずフォーカスサーチによるフォーカス引き込み位置の取得、フォーカス引き込み、及びフォーカスサーボのオン（以下、前記処理を合わせて「フォーカスオン」という）を行う必要がある。フォーカスサーボによるフォーカシングが完了すると、次に記録状態の判別処理が行われる。
【０００９】
この際、フォーカスオンを行った位置がＬ０或いはＬ１の既記録領域であれば、既記録状態と判別されて後続の処理、例えばトラック引き込み等が行われる。しかしフォーカスオンを行った位置がＬ１の未記録領域である場合、未記録状態と判別され、後続の処理を行うことができず、立ち上げに失敗する。つまりＬ０にデータが記録されているにも拘わらず、Ｌ０のデータを再生することができないという問題があった。
【００１０】
なお、ここで言う立ち上げ処理とは、光ディスク装置に対して光ディスクが装着された状態から、光ディスクを再生可能な状態にするまでの移行処理を指す。具体的にはディスクモータ起動、レーザ発光、フォーカスオン、トラックオン、チルトサーボオン、前記各種制御に必要な制御用パラメータの学習処理、及びディスク上に記録されているアドレス情報のリード等を含む。
【００１１】
上記の問題に関連して特許文献１においては、未記録領域と既記録領域とが混在する二層光ディスクに記録されている情報を正常に安定して再生することができる光ディスク装置が開示されている。この光ディスク装置は、再生位置を検出するために、Ｌ０の第１アドレスを起点として再生の対象アドレスであるＬ１の第２アドレスまで光スポットを走査する。この際、Ｌ０又はＬ１における未記録領域と既記録領域との既知の境界位置と、第１アドレスとの位置関係に基づいて走査経路が選択される。従って光スポットは既記録領域に沿って第２アドレスまで走査されるため、走査に必要なアドレス情報を走査中に適宜、正確に取得することが可能である。
【特許文献１】特開２００６−１１４１６８号公報
【発明の開示】
【発明が解決しようとする課題】
【００１２】
しかしながら、特許文献１に開示されている発明は、Ｌ０の既記録領域からＬ１の既記録領域への走査に関するものであり、前提としてＬ０の既記録領域へのフォーカスオンが成功している、つまり立ち上げが成功している必要がある。従って、立ち上げ時にＬ１の未記録領域へフォーカスオンが行われた場合、従来と同様に立ち上げエラーとなり、Ｌ０のデータを再生することができない。
【００１３】
以上の点を鑑みて、本発明の目的は、片面二層ディスクの立ち上げ処理において、Ｌ１の未記録領域に対してフォーカスオンが行われた場合であっても、正常に立ち上げ処理を行うことができる光ディスク装置を提供することにある。
【課題を解決するための手段】
【００１４】
上記目的を達成するために本発明の光ディスク装置は、光源により出射された光ビームを光ディスクの記録面に照射させ、光ディスクからの反射光を受光する対物レンズと、前記対物レンズを移動させるアクチュエータと、光ディスクで反射された反射光を電気信号に変換する光検出器と、前記電気信号に含まれるフォーカスエラー信号に基づいて前記アクチュエータの駆動を制御するフォーカス制御手段とを備えた光ディスク装置において、第一反射層及び第二反射層の二つの反射層を備え、前記第一反射層が前記第二反射層よりも大きい反射率である片面二層ディスクの立ち上げ時に、前記フォーカス制御手段によるフォーカス引き込みに失敗した場合、及び／或いはフォーカス引き込み後の記録状態判別処理において前記第一反射層が未記録状態であると判別された場合に、前記フォーカス制御手段に対して、前記第二反射層へフォーカス引き込みを行うように指示する移行指示手段を備えたことを特徴としている。
【００１５】
この構成によると、本発明の光ディスク装置は、対物レンズ、アクチュエータ、及び光検出器を含む光ピックアップを備えている。また、光検出器により得られた電気信号に含まれる信号に基づいてアクチュエータの駆動を制御するフォーカス制御回路（＝フォーカス制御手段）と、フォーカス制御回路に指示を与えるフォーカスジャンプ指示回路（＝移行指示手段）とを備えている。
【００１６】
片面二層ディスクの立ち上げ処理においてはまず、フォーカス制御回路によりフォーカスサーチが行われ、フォーカス引き込み位置が決定される。そしてフォーカス引き込み、フォーカシング、及び記録状態判別が行われる。これら一連の処理に失敗した場合、フォーカスジャンプ指示回路はフォーカス制御回路に対して、反射率の低い反射層（＝第二反射層）へフォーカスジャンプして、再度フォーカス引き込みを行うように指示する。これにより、例えば反射率の高い層（＝第一反射層）へフォーカス引き込みを行ったが、第一反射層にデータが記録されておらずトラック引き込みができない状態になったとしても、第二反射層を用いて立ち上げ処理を継続して行うことができる。
【００１７】
また本発明の光ディスク装置は、ＤＶＤ−Ｒ規格、或いはＤＶＤ＋Ｒ規格に準拠した片面二層ディスクの立ち上げを行う際に、前記移行指示手段による立ち上げ制御を行うことを特徴としている。
【００１８】
この構成によると、フォーカスジャンプ指示回路は、片面二層ディスクとしてＤＶＤ−Ｒメディア及びＤＶＤ＋Ｒメディアの立ち上げ時にトラック引き込みが失敗した場合に、第二反射層へのフォーカスジャンプを指示する。これにより、第二反射層が既記録状態、且つ第一反射層が未記録状態となる可能性のあるＤＶＤ−Ｒメディア及びＤＶＤ＋Ｒメディアにおいて、立ち上げ処理の失敗を防止することができる。
【００１９】
また本発明の光ディスク装置は、記録アドレスの順に隙間なく記録された記録領域を備え、且つ前記第一反射層に未記録領域が存在する片面二層ディスクの立ち上げを行う際に、前記移行指示手段による立ち上げ制御を行うことを特徴としている。
【００２０】
この構成によると、フォーカスジャンプ指示回路は、アドレス順に隙間なく記録するインクリメント方式で記録された片面二層ディスクの立ち上げ時にトラック引き込みが失敗した場合に、第二反射層へのフォーカスジャンプを指示する。これにより、第二反射層が既記録状態、且つ第一反射層が未記録状態となる可能性のあるインクリメント方式の光ディスクにおいて、立ち上げ処理の失敗を防止することができる。
【発明の効果】
【００２１】
本発明によれば、立ち上げ時にフォーカスオンした記録層が未記録状態であった場合に、反射率の低い第二反射層にフォーカスジャンプして再度フォーカス引き込みを行う。これにより例えば、未記録状態の第一反射層にフォーカスオンした場合であっても、第二反射層を用いて立ち上げ処理を継続して行うことができる。従って例えば、ファイナライズをしていないため第一反射層に未記録領域が存在する光ディスクであっても、正常に立ち上げられる。このため、光ディスク装置の再生機能の向上を図ることができる。
【００２２】
また本発明によれば、片面二層ディスクとしてＤＶＤ−Ｒメディア及びＤＶＤ＋Ｒメディアの立ち上げ時にトラック引き込みに失敗した場合に、第二反射層へのフォーカスジャンプを実行する。従って第一反射層に未記録領域が存在する可能性のある上記規格の光ディスクの立ち上げ処理において、立ち上げ成功率を高めることができる。このため、光ディスク装置の再生機能の向上を図ることができる。
【００２３】
また本発明によれば、アドレス順に隙間なく記録するインクリメント方式で記録された片面二層ディスクの立ち上げ時にトラック引き込みに失敗した場合に、第二反射層へのフォーカスジャンプを実行する。従って第一反射層に未記録領域が存在する可能性のあるインクリメント方式で記録された光ディスクの立ち上げ処理において、立ち上げ成功率を高めることができる。このため、光ディスク装置の再生機能の向上を図ることができる。
【発明を実施するための最良の形態】
【００２４】
以下に本発明の実施形態を、図面を参照しながら説明する。なお、ここで示す実施形態は一例であり、本発明はここに示す実施形態に限定されるものではない。
【００２５】
〈１．内部構成について〉
図１は、本発明の一実施形態に係るディスクプレイヤ１００を示す構成図である。ディスクプレイヤ１００は、光ピックアップ１、ＲＦアンプ３１、ＤＳＰ（Digital Signal Processor）３２、再生処理回路３３、出力回路３４、ＣＰＵ４１、ドライバ４２、表示部４３、操作部４４、送りモータ５１、及びスピンドルモータ５２を備えている。
【００２６】
光ピックアップ１は、光ディスク２に光ビームを照射して、光ディスク２（ＣＤ、ＤＶＤ、又は、ＢＤ）に記録された音声情報、映像情報等の各種情報の読み取りを行う。この光ピックアップ１には、ＣＤ用光ビーム、ＤＶＤ用光ビーム、ＢＤ用光ビームが設けられている。なお、光ピックアップ１内部の詳細については後述する。
【００２７】
光ピックアップ１により得られた音声情報、及び映像情報は、ＲＦアンプ３１〜出力回路３４により音声及び映像に変換され、それぞれ不図示のスピーカ及びモニタから出力される。ＲＦアンプ３１は、光ピックアップ１からの音声信号や映像信号等を増幅する。ＤＳＰ３２及び再生処理回路３３は、ＲＦアンプ３１からの信号に対して、再生のための各種情報処理（例えば映像処理等）を施す。出力回路３４は、再生処理回路３３からの信号を、不図示のスピーカ及びモニタに出力するためにＤ／Ａ変換処理等を行う。
【００２８】
ＣＰＵ４１及びドライバ４２は、光ピックアップ１及び駆動装置（＝送りモータ５１及びスピンドルモータ５２）の動作を制御する。ＣＰＵ４１は、操作部４４からの情報を受け付けてＤＳＰ３２に伝送すると共に、ＤＳＰ３２からの情報を表示部４３に伝送する。またドライバ４２は、ＤＳＰ３２からの指示に基づいて、光ピックアップ１及び駆動装置の動作を制御する。
【００２９】
送りモータ５１は、ＤＳＰ３２の指示に基づいて動作するドライバ４２によって駆動される。それによって光ピックアップ１は光ディスク２の径方向に移動する。スピンドルモータ５２は、ドライバ４２によって光ディスク２を回転方向に駆動する。なお、ドライバ４２はＤＰＳ３２の指示に基づいてピックアップ装置１の対物レンズ１７（図２）のフォーカス制御を行う。
【００３０】
〈２．光ピックアップの構成について〉
図２は、本発明の一実施形態に係る光ピックアップ１の光学系を示す概略図である。光ピックアップ１は、ＤＶＤ等の光ディスク２（＝片面二層ディスク）に対して、光ビームを照射して反射光を受光することにより光ディスク２の記録面に記録されている情報を読み取る。なお、光ピックアップ１で情報の読み取り等が可能な光ディスク２の種類及び数は、本実施形態に示す種類及び数に限らず、本発明の範囲を逸脱しない範囲で種々の変更が可能である。
【００３１】
この光ピックアップ１は、第一光源１１ａと、第二光源１１ｂと、ダイクロプリズム１２と、コリメートレンズ１３と、ビームスプリッタ１４と、立ち上げミラー１５と、液晶素子１６と、対物レンズ１７と、検出レンズ１８と、光検出器１９と、アクチュエータ２１とを備えている。
【００３２】
また、本発明の対物レンズ制御処理を行うための処理回路として、信号生成回路２２、フォーカス制御回路２３（＝フォーカス制御手段）、トラッキング制御回路２４、及びフォーカスジャンプ指示回路２５（＝移行指示手段）を備えている。なお、上記処理回路の全てがピックアップ１の内部に含められている必要はなく、ピックアップ１の外部において電気的に接続されている形態であってもよい。
【００３３】
第一光源１１ａは、ＤＶＤに対応する６５０ｎｍ帯の光ビームと、ＣＤに対応する７８０ｎｍ帯の光ビームとを出射できるレーザダイオードである。第二光源１１ｂは、ＢＤに対応する４０５ｎｍ帯の光ビームを出射できるレーザダイオードである。なお、本実施形態では、第一光源１１ａとして、２種類の波長の光ビームを出射できる二つの発光点を有する２波長一体型のレーザダイオードを用いているが、これに限られる趣旨ではなく、例えば単一の波長の光ビームのみを出射するレーザダイオードを用いても構わない。
【００３４】
ダイクロプリズム１２は、ＤＶＤ用の光ビームを出射する第一光源１１ａから出射される光ビームを透過し、ＢＤ用の光ビームを出射する第二光源１１ｂから出射される光ビームを反射する。そして、第一光源１１ａ及び第二光源１１ｂから出射される光ビームの光軸を一致させる。ダイクロプリズム１２において、透過又は反射された光ビームは、コリメートレンズ１３に送られる。
【００３５】
コリメートレンズ１３は、ダイクロプリズム１２を透過した光ビームを平行光に変換する。ここで、平行光とは、第一光源１１ａ及び第二光源１１ｂから出射された光ビームの全ての光路が光軸とほぼ平行である光をいう。コリメートレンズ１３で平行光とされた光ビームは、ビームスプリッタ１４に送られる。
【００３６】
ビームスプリッタ１４は、入射する光ビームを分離する光分離素子として機能し、コリメートレンズ１３から送られてきた光ビームを透過して、光ディスク２側へと導くとともに、光ディスク２で反射された反射光を反射して光検出器１９側へと導く。ビームスプリッタ１４を透過した光ビームは、立ち上げミラー１５に送られる。
【００３７】
立ち上げミラー１５は、ビームスプリッタ１４を透過してきた光ビームを反射して光ディスク２へと導く。立ち上げミラー１５は、ビームスプリッタ１４からの光ビームの光軸に対して４５°傾いた状態となっており、立ち上げミラー１５で反射された光ビームの光軸は、光ディスク２の記録面と略直交する。立ち上げミラー１５で反射された光ビームは、液晶素子１６に送られる。
【００３８】
液晶素子１６は、透明電極に挟まれた液晶（いずれも図示せず）に電圧を印加することで、液晶分子がその配向方向を変える性質を利用して、屈折率の変化を制御し、液晶素子６を透過する光ビームの位相の制御を可能とする素子である。この液晶素子１６を配置することによって、光ディスク２の記録面を保護する樹脂層の厚みの違い等によって生じる球面収差の補正が可能となる。液晶素子１６を通過した光ビームは対物レンズ１７へと送られる。
【００３９】
対物レンズ１７は、液晶素子１６を透過した光ビームを光ディスク２の記録面上に集光させる。また、対物レンズ１７は後述するアクチュエータ２１によって、例えば、図２の上下方向及び左右方向に移動可能とされており、フォーカスサーボ信号及びトラッキングサーボ信号に基づいてその位置が制御される。
【００４０】
なお、本実施形態においては、液晶素子１６も対物レンズ１７と共に移動できるように、アクチュエータ２１に搭載されている。ただし、液晶素子１６は、必ずしもアクチュエータ２１に搭載する必要はなく、光学系の構成に応じて、その構成は変更可能である。
【００４１】
光ディスク２で反射された反射光は、対物レンズ１７、液晶素子１６の順に通過し、立ち上げミラー１５で反射された後、更にビームスプリッタ１４で反射されて、検出レンズ１８によって光検出器１９上に設けられる受光素子へと集光される。
【００４２】
光検出器１９は、フォトダイオード等の受光素子を用いて受光した光情報を電気信号に変換して、信号生成回路２２に出力する。光検出器は例えば四分割された受光領域を備えており、領域毎に個別に光電変換を行って電気信号を出力することが可能である。
【００４３】
アクチュエータ２１は、ドライバ４２で生成され出力された対物レンズ駆動信号に従って、対物レンズ１７を光ディスク２の径方向に移動させる。アクチュエータ２１はそれには限定されないが、ここでは、永久磁石（不図示）によって形成される磁界内にコイル（不図示）に駆動電流を流し、ローレンツ力にて対物レンズ１７を駆動することができるものであってもよい。
【００４４】
アクチュエータ２１は対物レンズ１７を光ディスク２の記録面に沿う方向に移動させるトラッキング動作の他に、対物レンズ１７より照射される光ビームの光軸が揺動するように対物レンズ１７を傾動させるチルト動作や、対物レンズ１７を光ディスク２に対して接近離反するように移動させるフォーカス動作も行うことができる。
【００４５】
信号生成回路２２は、光検出器１９の出力信号を受け、出力信号から各種信号、例えば光ディスク２の記録面に記録されているデータの再生信号、フォーカス制御を行うためのフォーカスエラー信号（以下、「ＦＥ信号」という）、トラッキング制御を行うためのトラッキングエラー信号（以下、「ＴＥ信号」という）、及び光検出器１９の全受光領域で受光した光の光量を示す輝度信号（以下、「ＡＳ信号」という）等が生成される。生成された信号は各種機能部に出力される。
【００４６】
フォーカス制御回路２３は、使用する光ビームの種別に対応する基準電圧、及びリミット電圧を記録部（不図示）より読み出す。そして読み出した基準電圧を基準値としてアクチュエータ２１を駆動し、印加する駆動電圧を変化させながら、光検出器１９によるＦＥ信号の取得を行う。そしてＦＥ信号が所定レベルとなったところでフォーカス引き込みを行い、フォーカスサーボをオンする。
【００４７】
トラッキング制御回路２４は、信号生成回路２２により生成されたＴＥ信号を受信し、この信号に基づいて対物レンズ１７のトラッキング制御を行う。具体的には、ＴＥ信号、或いはシーク制御回路（不図示）より受信したトラックジャンプ信号により対物レンズの径方向位置を決定し、アクチュエータ２１を用いて対物レンズ１７の径方向移動を行う。
【００４８】
フォーカスジャンプ指示回路２５は、光ディスク２の立ち上げ開始を検知した際に、フォーカス制御回路２３の状態を監視する。そしてフォーカス制御回路２３によるＬ１へのフォーカスオンが失敗した場合、或いはフォーカスオン後の記録状態判別処理でＬ１が未記録状態であると判別された場合に、フォーカス制御回路２３に対してＬ０へフォーカスジャンプして再度フォーカスオンするように指示する。
【００４９】
この際、フォーカスサーチを行った際に取得されたフォーカス引き込み位置（後述する図５のｔ２）ではなく、フォーカスサーチ時にＬ０のフォーカスエラー信号が所定値となった位置（図５のｔ１）でフォーカスオンを行うように、フォーカス制御回路２３に指示する。
【００５０】
フォーカスオンが成功すると、トラッキング制御回路２４はフォーカスオンされたＬ０に対してトラックオンを行う。この結果、Ｌ０の既記録領域に対してフォーカスオン及びトラックオンを行うことができるため、立ち上げ処理を継続することができる。ただし、フォーカスオンしたＬ０が未記録領域であった場合はこの限りではない。
【００５１】
〈４．対物レンズ及びディスク記録面の構成について〉
ここで、本発明の一実施形態に係る対物レンズ１７と光ディスク２の記録面との構造及び相関関係を、図４のブロック図を用いながら説明する。
【００５２】
図４は、光ディスク２及び対物レンズ１７を側面方向から見た断面図であり、光ディスク２は少なくとも、情報を記録するための第一反射層２ａ（＝Ｌ１）及び第二反射層２ｂ（＝Ｌ０）と、反射層を保護するための樹脂層２ｃとを含むように構成されている。第一反射層２ａ及び第二反射層２ｂにはピットと呼ばれる凹凸が形成されており、これに光ビームを照射して反射光を受光することにより、情報を読み出すことが可能である。
【００５３】
第一反射層２ａは、アルミニウム薄幕等からなる反射層であり、受光した光ビームを全て反射する性質を持つ。第二反射層２ｂは、金等の金属膜を極薄くしたものや誘電体膜からなる半透明の反射層であり、光ビームの一部を反射し、一部を透過する性質を持つ。樹脂層２ｃはポリカーボネイト等の樹脂素材であり、光ビームを透過する性質を持つ。
【００５４】
図５（ａ）は、ＤＶＤ再生用の光ビーム１７ａの焦点が第二反射層２ｂに合致する位置へ対物レンズ１７を駆動した状態を示している。この状態から、アクチュエータ２１により矢印αの方向に対物レンズ１７を移動させると、光ビーム１７ａの焦点も移動し、やがて図５（ｂ）に示す状態となる。図５（ｂ）は、光ビーム１７ａの焦点が第一反射層２ａに合致するように対物レンズ１７を駆動した状態を示している。
【００５５】
上記のように矢印αの方向へ対物レンズを移動させた際のＦＥ信号及びＡＳ信号の変化を、図５を用いて説明する。なお図５は図中左側の曲線（Ｍ１付近）が第二反射層２ｂによる各信号の変化を、図中右側の曲線（Ｍ２付近）が第一反射層２ａによる各信号の変化を示している。
【００５６】
図５（ａ）は、対物レンズの移動に伴うＦＥ信号の変化を表したグラフ図である。また図５（ｂ）は、対物レンズの移動に伴うＡＳ信号の変化を表したグラフ図である。なお図５においては、横軸が図４に示す矢印α方向の対物レンズ移動量を示しており、右に行くにつれ移動量が大きくなる。
【００５７】
図５において、破線Ｍ１は、第二反射層２ｂの反射光から取得されるＦＥ信号が０となる対物レンズの駆動位置、つまり第二反射層２ｂに光ビーム１７ａの焦点が合致している駆動位置を示す。この際、図５（ｂ）に示すように第二反射層２ｂの反射光から取得されるＡＳ信号は最大となる。
【００５８】
また図５において、破線Ｍ２は、第一反射層２ａの反射光から取得されるＦＥ信号が０となる対物レンズの駆動位置、つまり第一反射層２ａに光ビーム１７ａの焦点が合致している駆動位置を示す。この際、第一反射層２ａの反射光から取得されるＡＳ信号は最大となる。ただし上記において、光ディスク２の面振れ等によりチルトが発生している場合は、ＦＥ信号が０となる駆動位置とＡＳ信号が最大となる駆動位置とは必ずしも一致しない。
【００５９】
光ピックアップ１が立ち上げ処理を開始すると、まずフォーカス制御回路２３がフォーカスサーチを行う。つまり図４に示す矢印αの方向に対物レンズを移動させながらＦＥ信号を測定する。この結果、例えば図５（ａ）に示すＦＥ信号が取得される。次にフォーカス制御回路２３は、第二反射層２ｂのＦＥ信号が最大となる駆動位置（図中のｔ１）と、第一反射層２ａのＦＥ信号が最大となる駆動位置（図中のｔ３）とを取得する。そしてＦＥ信号の最大値の半分（破線Ｋ１）となる駆動位置を、ｔ２として取得する。
【００６０】
フォーカス制御回路２３はｔ１のＦＥ信号とｔ２のＦＥ信号とを比較し、値の大きい方の駆動位置をフォーカス引き込み位置に決定する。そして決定したフォーカス引き込み位置においてフォーカスサーボをオンにすることにより、フォーカシングを行う。図５（ａ）の例では、ｔ２の方がＦＥ信号の値が大きいため、第一反射層２ａ、つまりＬ１に対してフォーカシングが行われることとなる。
【００６１】
上記のことから、
（Ｌ１の反射率）≧（Ｌ０の反射率×２）
を満たす反射層を持つ光ディスクは、フォーカスサーチ後にＬ１に対してフォーカス引き込みが行われる。しかし先述のように、インクリメント方式で記録されたＤＶＤ−ＲメディアやＤＶＤ＋Ｒメディアにおいては、Ｌ０が既記録、且つＬ１が未記録の場合がある。
【００６２】
この場合、最初にＬ１にフォーカス引き込みが行われても、第一反射層２ａにピットが存在しないため、トラック引き込みが行えず立ち上げに失敗するという問題があった。なお、同じ規格の光ディスクであっても、各反射層の反射率はメディア毎に個体差がある。従って上記の条件を満たす場合と満たさない場合がある。次に、上記の条件を満たす光ディスクであっても、正常に立ち上げを行うことが可能な本発明の立ち上げ処理について説明する。
【００６３】
〈５．光ディスク立ち上げ処理について〉
ここで、本発明の一実施形態に係る光ピックアップ１による光ディスク２の立ち上げ処理を、図１及び図２のブロック図と、図３のフロー図と、図４の側面図と、図５のグラフ図とを用いながら説明する。
【００６４】
図３は、本発明の一実施形態に係る立ち上げ処理の処理フローを示したフローチャートである。図３に示す本処理は、ディスクプレイヤ１００に光ディスク２が挿入され、且つ光ディスク２の種別がＤＶＤであると判別された場合に開始される。
【００６５】
本処理が開始された後、フォーカス制御回路２３はステップＳ１１０において、ＤＶＤ再生用のＬＤ（＝レーザダイオード）である第一光源１１ａを用いて光ビーム１７ａの照射を行いながら、対物レンズ１７の作動距離を変化させる。そして反射光を光検出器１９により受光することにより、フォーカスサーチを行う。
【００６６】
次にフォーカス制御回路２３はステップＳ１２０において、フォーカスサーチによって得られたＦＥ信号に基づいて、フォーカス引き込み位置を決定する。例えば図５に示すようなＦＥ信号である場合、フォーカス引き込み位置はｔ２となる。
【００６７】
次にフォーカス制御回路２３はステップＳ１３０において、決定されたフォーカス引き込み位置におけるフォーカスオンを行う。フォーカスオンに成功すると、ステップＳ１４０において、フォーカスオンした記録面の記録状態の判別を行う。記録状態の判別方法としては、例えば信号生成回路２２より得られるＲＦ（Radio Frequency）信号のＡＣ（Alternating Current）成分のレベルが高い／低いによって判別を行う。なお、判別処理の具体的な詳細については従来技術と同様であるため、ここでは説明を省略する。
【００６８】
次にフォーカスジャンプ指示回路２５はステップＳ１５０において、記録状態が未記録と判別されたかどうかの判定を行う。未記録ではない、つまり既記録領域が存在すると判別された場合、後述するステップＳ２００に移行し、後続の立ち上げ処理の実施を行う。例えばチルト補正やアドレス情報のリード等を行う。なお、ステップＳ２００にて行う立ち上げ処理の内容は従来技術と同様であるため、ここでは詳細な説明を省略する。
【００６９】
逆にＬ１の未記録領域にフォーカスオンしたこと等に起因して未記録であると判別された場合、フォーカスジャンプ指示回路２５はステップＳ１６０において、フォーカス制御回路２３にフォーカスジャンプを指示する。この指示を受けたフォーカス制御回路２３は、アクチュエータ２１を駆動することによる対物レンズ１７の移動や、作動距離の調整を行うことにより、Ｌ０へのフォーカスジャンプを行う。
【００７０】
次にフォーカスジャンプ指示回路２５はステップＳ１７０において、フォーカスジャンプが成功したかどうかの判定を行う。なおフォーカスジャンプが失敗する要因としては、例えば物理的な衝撃によるディスクプレイヤ１００の振動や、或いは光ディスクの記録面が物理的に破損している場合等が考えられる。
【００７１】
フォーカスジャンプに失敗した場合、ステップＳ２１０において立ち上げエラー処理を行った後、本処理を終了する。なお、立ち上げエラー処理の内容は従来技術と同様であるため、ここでは詳細な説明を省略する。フォーカスジャンプに成功した場合、ステップＳ１８０において、フォーカスオンしたＬ０の記録状態の判別を行う。
【００７２】
次にフォーカスジャンプ指示回路２５はステップＳ１９０において、Ｌ０の記録状態が未記録と判別されたかどうかの判定を行う。未記録ではない、つまり既記録領域が存在すると判別された場合、ステップＳ２００に移行し、後続の立ち上げ処理の実施を行う。未記録であると判別された場合、ステップＳ２１０において立ち上げエラー処理を行った後、本処理を終了する。
【００７３】
以上に説明した本発明の立ち上げ処理によれば、光ディスク２が備える反射層の反射率により最初にＬ１の未記録領域へフォーカスオンした場合であっても、Ｌ０へフォーカスジャンプしてＬ０による立ち上げ処理を行う。このため、Ｌ０に既記録領域が存在するにも拘わらず立ち上げ処理に失敗してしまうのを防止することができる。
【００７４】
［その他の実施の形態］
以上、好ましい実施の形態及び実施例をあげて本発明を説明したが、本発明は必ずしも上記実施の形態及び実施例に限定されるものではなく、その技術的思想の範囲内において様々に変形して実施することができる。
【００７５】
従って本発明は、以下の形態にも適用可能である。
（Ａ）本実施形態では、光ディスク装置としてディスクプレイヤ１００を例として説明したが、その他の光ディスク装置、例えばＢＤドライブやＨＤ−ＤＶＤドライブ等の光ディスク記録装置や、これら光ディスク記録装置を備えたパソコン等においても、本発明は実施可能である。
【００７６】
（Ｂ）本実施形態では、本発明の立ち上げ処理をフォーカス制御回路２３、トラッキング制御回路２４、及びフォーカスジャンプ指示回路２５を用いて行っているが、これら複数の回路と同等の機能を持つプログラムがＣＰＵ４１等の処理装置上で実行されることによって本発明の立ち上げ処理を実現する形態でもよい。
【図面の簡単な説明】
【００７７】
【図１】は、本発明の一実施形態に係る光ディスク装置を示す構成図である。
【図２】は、本発明の一実施形態に係る光ピックアップを示す構成図である。
【図３】は、本発明の一実施形態に係る立ち上げ処理の処理フローを示したフロー図である。
【図４】は、本発明の一実施形態に係る光ディスク及び対物レンズの構成を示した側面図である。
【図５】は、本発明の一実施形態に係る対物レンズの作動距離に応じたＦＥ信号及びＡＳ信号の変化を示したグラフ図である。
【符号の説明】
【００７８】
１００    ディスクプレイヤ（光ディスク装置）
１        光ピックアップ
２        光ディスク（片面二層ディスク）
２ａ      第一反射層
２ｂ      第二反射層
１１ａ    第一光源（光源）
１７      対物レンズ
１９      光検出器
２１      アクチュエータ
２３      フォーカス制御回路（フォーカス制御手段）
２５      フォーカスジャンプ指示回路（移行指示手段）
【図１】
2009129509.tif 000003
【図２】
2009129509.tif 000004
【図３】
2009129509.tif 000005
【図４】
2009129509.tif 000006
【図５】
2009129509.tif 000007